(57)【要約】【課題】パルス信号をカウントさせることなく火災試験判定が行え、動作点検時間を短縮することができる光電式煙感知器を提供する。【解決手段】試験スイッチの投入によって、火災試験回路１３が作動状態となり、試験スイッチが投入されたときに、煙濃度測定部１２ｃから出力される煙濃度信号、あるいは火災判定部１２ｂから火災判定パルスを受けたときに、カウンタ部１２ａを介さず、警報回路１１に警報指令信号を出力させる構成とする。【選択図】図１
2004227452.tif 000002
【特許請求の範囲】
【請求項１】
試験スイッチと、煙検知部で測定された煙濃度信号に基づいて、火災判定パルスを生成し、その火災判定パルスが所定の計数値に達したときに、警報指令信号を出力する火災検知回路とを備えた光電式煙感知器において、
上記試験スイッチの投入によって、作動状態となり、上記試験スイッチが投入されたときに、上記煙検知部から出力される煙濃度信号、あるいは上記火災判定パルスを受けたときに、警報指令信号を出力させる火災試験判定回路を備えたことを特徴とする光電式煙感知器。
【請求項２】
請求項１において、
上記火災検知回路は、
煙濃度測定部で測定された煙濃度信号を出力する煙濃度測定部と、
この煙濃度測定部からの煙濃度信号を、予め準備されたしきい値と比較して、火災判定パルスを出力する火災判定部と、
この火災判定部から出力される火災判定パルスを計数して、所定の計数値に達したときに、警報指令信号を出力するカウンタ部とを備えて構成されている光電式煙感知器。
【請求項３】
請求項１において、
上記火災試験判定回路は、上記試験スイッチの投入によって、電源が供給され、
上記試験スイッチの投入によって、上記煙濃度測定部から出力される煙濃度信号に応じて駆動され、その駆動後は、上記試験スイッチの投入が解除されるまでの間、警報指令信号を出力する動作をなす光電式煙感知器。
【請求項４】
請求項３において、
上記火災試験判定回路は、自己保持型の制御回路を含んで構成されており、
この自己保持型の制御回路は、主トランジスタに、第１の制御トランジスタ、第２の制御トランジスタを組み合わせて構成されており、
上記主トランジスタは、上記試験スイッチの投入によって電源が供給され、かつ上記試験スイッチの投入によって、上記煙濃度測定部から出力される煙濃度信号、あるいは上記火災判定パルスを受けたときに、上記第１の制御トランジスタを導通させて、オンしたときに、上記第２の制御トランジスタを導通してオン状態を保持して、警報指令信号の出力を保持する構成にしている光電式煙感知器。
【請求項５】
請求項１〜４において、
上記試験スイッチは、引き下げ動作を連続することによって、電源投入、遮断を繰り返す紐式のスイッチとして構成されている光電式煙感知器。
【請求項６】
請求項１〜４において、
上記試験スイッチは、押圧操作を連続することによって、電源投入、遮断を繰り返す押釦スイッチとして構成されている光電式煙感知器。
【発明の詳細な説明】
【０００１】
【発明の属する技術分野】
この発明は、火災試験判定回路を備えた光電式煙感知器の改良に関し、詳しくは、動作点検時間を短縮することができる光電式煙感知器に関する。
【０００２】
【従来の技術】
従来より光電式煙感知器は、煙が感知器内に進入するとＬＥＤ等の発光素子による光が煙に当たり散乱し、その散乱光をフォトダイオード等の受光素子に入射させ、受光量があるしきい値を超えることにより火災と判断する方式が用いられている。その中でも、いわゆるパルスカウント方式はホコリや虫等が感知器内に侵入するようなノイズを火災と誤判断することがない方式として広く用いられている。
【０００３】
図４には、上記パルスカウント方式を用いた光電式煙感知器の回路のブロック図の一例を示す。この光電式煙感知器１００は、電源回路１１０と、警報回路１１１と、火災を検知する火災検知回路１１２とを備えている。この火災検知回路１１２は、受光素子の受光量を測定する煙濃度測定部１１２ｃと、煙濃度測定部１１２ｃの出力値をもとに火災判定しきい値と比較し、火災判定を行う火災判定部１１２ｂと、火災判定の出力信号をカウントし、ある所定の計数値に達すると警報回路１１１へ警報指令信号を送出するカウンタ部１１２ａを備えている。
このような光電式煙感知器１００では、消費電流の低減のため、ＬＥＤ等の発光素子を１秒に１回、数ｍｓｅｃだけ点灯させる構成となっており、煙濃度測定部１１２ｃ及び火災判定部１１２ｂからカウンタ部１１２ａへはパルス信号が送出されている。ここでカウンタ部１１２ａは、ノイズによる誤動作を防止するため、例えば、９回等の所定回数以上のパルス信号を計数した場合には実火災と判断し、警報回路１１１へ警報指令信号を送出する構成となっている。
【０００４】
またこのような光電式煙感知器１００では、アンプゲインを増加させたり、ＬＥＤ等の受光素子への入力を増加させ、擬似的に火災判定を行うが、この際においても、上述のように実火災時と同様にパルス信号をカウンタ部１１２ａで所定回数以上を計数し、その後警報回路１１１へ警報指令信号を送出させ火災試験判定を行うので、試験発報まで時間がかかり、即時に火災試験判定が完了せず、点検者には不便であった。
そこで、下記特許文献１においては、この火災試験判定時間を短縮させるため、点検モードを設け、点検モードに切り替えた際には、パルス信号のカウント数を通常時より小さい値にすることにより、火災試験判定時間が短縮できるようにしたものが提案されている。
【０００５】
【特許文献１】
特開平９−６２９６１号公報
【０００６】
【発明が解決しようとする課題】
しかしながら、上記のような構成では、カウンタ部でパルス信号を計数しなければ、火災試験判定を行うことができない。また、パルス信号のカウント数を通常よりも小さい値にしているものの、やはりパルス信号を計数する時間を要してしまうという問題があった。
【０００７】
本発明は、このような問題を解決しようとするもので、火災試験判定回路を備えた光電式煙感知器において、動作点検時間を短縮することを目的としている。
【０００８】
【課題を解決するための手段】
上記目的を達成するために、本発明の請求項１に記載の光電式煙感知器では、試験スイッチと、煙濃度測定部で測定された煙濃度信号に基づいて、火災判定部で火災判定パルスを生成し、その火災判定パルスが所定の計数値に達したとカウンタ部が判断したときに、警報指令信号を出力する火災検知回路とを備えた光電式煙感知器において、上記試験スイッチの投入によって、作動状態となり、上記試験スイッチが投入されたときに、上記煙濃度測定部から出力される煙濃度信号、あるいは火災判定部から出力される火災判定パルスを受けたときに、警報指令信号を出力させる火災試験判定回路を備えたことを特徴とする。
【０００９】
請求項２に記載の光電式煙感知器は、上記火災検知回路の構成を具体的にしたものである。すなわち、上記火災検知回路は、煙濃度測定部で測定された煙濃度信号を出力する煙濃度測定部と、この煙濃度測定部からの煙濃度信号を、予め準備されたしきい値と比較して、火災判定パルスを出力する火災判定部と、この火災判定部から出力される火災判定パルスを計数して、所定の計数値に達したときに、警報指令信号を出力するカウンタ部とを備えて構成されている。
【００１０】
請求項３に記載の光電式煙感知器は、請求項１において、上記火災試験判定回路は、上記試験スイッチの投入によって、電源が供給され、上記試験スイッチの投入によって、上記煙濃度測定部から出力される煙濃度信号に応じて駆動され、その駆動後は、上記試験スイッチの投入が解除されるまでの間、警報指令信号を出力する動作をなす。
請求項４に記載の光電式煙感知器は、上記火災試験判定回路の構成を具体的にしたものである。すなわち、上記火災試験判定回路は、自己保持型の制御回路を含んで構成されている。この自己保持型の制御回路は、主トランジスタに、第１の制御トランジスタ、第２の制御トランジスタを組み合わせて構成されており、上記主トランジスタは、上記試験スイッチの投入によって電源が供給され、かつ上記試験スイッチの投入によって、上記煙濃度測定部から出力される煙濃度信号、あるいは上記火災判定パルスを受けたときに、上記第１の制御トランジスタを導通させて、オンしたときに、上記第２の制御トランジスタを導通してオン状態を保持して、警報指令信号の出力を保持する構成にしている。
【００１１】
請求項５、６に記載の光電式煙感知器は、上記試験スイッチは、紐等の引き下げ動作もしくは押釦等の押圧操作を連続することによって、電源投入、遮断を繰り返すスイッチとして構成されている。
【００１２】
【発明の実施の形態】
以下に、本発明の実施の形態について、図面とともに説明する。
図１には、本発明の光電式煙感知器１の構成の一例を示したブロック図である。この光電式煙感知器１には、電源供給を受けるための差込みプラグを備えた電源回路１０と、警報指令信号を受けたら警報を出力する警報回路１１と、火災を検知する火災検知回路１２と、試験スイッチの投入により作動状態となり、火災試験判定を行う火災試験判定回路１３とを備えている。
火災検知回路１２は、光電式煙感知器１内部の火災による煙の濃度をＬＥＤ等の受光素子の受光量により煙の濃度を測定し、煙濃度信号を出力する煙濃度測定部１２ｃと、煙濃度測定部１２ｃから出力される煙濃度信号と予め準備されたしきい値とを比較して、火災判定パルスを出力する火災判定部１２ｂと、火災判定部１２ｂから出力される火災判定パルスを計数して、所定の計数値に達したときに、警報指令信号を出力するカウンタ部１２ａを備えて構成されている。
この光電式煙感知器１では単に警報回路１１の鳴動を点検するだけにとどまらず、実火災時において正常に光電式煙感知器１が動作するか調べるため、擬似的に実火災状態にし、火災試験判定を行うことができる。火災試験判定の際には、試験スイッチの投入により、火災検知回路１２へは火災試験信号が入力される。一方火災試験判定回路１３へは電源が供給され、煙濃度測定部１２ｃあるいは火災判定部１２ｂの信号を監視する状態になり、煙濃度測定部１２ｃから出力される煙濃度信号あるいは、火災判定部１２ｂから出力される火災判定パルスを受けたときに、警報回路１１に警報指令信号を出力する構成となっている。
これによれば、火災検知回路１２のカウンタ部１２ｃを介することなく、火災試験時の火災判定が行える。またその結果、動作点検時間を短縮が実現でき、例えば、１秒周期で煙濃度の測定を行う場合、約１秒以内に火災試験判定することが可能となる。
【００１３】
図２には、本発明の光電式煙感知器１の外観の一例を示す。
この光電式煙感知器１は、警報ブザー等が鳴動される警報部２と、煙に当たる散乱光から火災検知する火災検知部３と、試験スイッチとなる押釦４と引き紐５とを備えており、通常は天井面に直付けされる。火災試験判定の際には、押釦４の押圧操作および紐５の引き下げ動作を連続することによって、電源投入、遮断を繰り返すスイッチとして構成されている。すなわち、上記火災試験判定回路１３は、試験スイッチの投入によって電源が供給され、煙濃度測定部１２ｃから出力される煙濃度信号に応じて駆動する。駆動後は、試験スイッチの投入が解除されるまでの間、警報指令信号が出力され警報が警報部２より鳴動し続ける。
【００１４】
図３には、本発明の火災試験判定回路１３の具体的な回路構成の一例を示す。この火災試験判定回路１３は、自己保持型の制御回路（ＴＲ１〜ＴＲ３）を含んで構成されている。この自己保持型の制御回路（ＴＲ１〜ＴＲ３）は、主トランジスタＴＲ１に、第１の制御トランジスタＴＲ２、第２の制御トランジスタＴＲ３を図３に示すように接続し、組み合わせて構成されている。主トランジスタＴＲ１は、試験スイッチの投入によって電源が供給され、火災検知回路１２からの信号を監視する状態となる。火災試験信号が火災検知回路１２に入力され、煙濃度測定部１２ｃから出力される煙濃度信号、あるいは火災判定部１２ｂで生成される火災判定パルスを主トランジスタＴＲ１がベース電流ＩＢ１として受けたときに、第１の制御トランジスタＴＲ２を導通させて、オンにする。ここで、警報回路１１に警報指令信号が出力され、警報が鳴動し始める。一方、第１の制御トランジスタＴＲ２がオンになると、ベース電流ＩＢ３が導通され、第２の制御トランジスタＴＲ３がオンになる。その結果、火災検知回路１２の煙濃度信号、あるいは火災判定パルスが低いレベルになっても、つまり主トランジスタＴＲ１からのベース電流ＩＢ２がなくなっても、第１の制御トランジスタＴＲ２はオン状態を自己保持できる。よって、警報回路１１への警報指令信号も保持されるため、警報の鳴動が途切れることがなく鳴動が続く。火災試験判定が終了し、試験スイッチの投入が解除されると、第１の制御トランジスタＴＲ２、第２の制御トランジスタＴＲ３への電源供給が遮断されるので、自己保持が解除され、警報回路１１への警報指令信号の出力がオフになり、警報が鳴り止む構成となっている。この回路構成によれば、試験スイッチが投入されたときにはじめて、火災試験判定回路１３が監視状態となるため、火災試験時以外にノイズによる誤動作を生じることがない。
【００１５】
【発明の効果】
請求項１から６に記載の光電式煙感知器によれば、火災検知回路のカウンタ部を介することなく、火災試験時の火災判定が行うことができる。よってその結果、動作点検時間を短縮することができ、点検作業が迅速に行える。
【００１６】
また、請求項２に記載の光電式煙感知器によれば、カウンタ部を備えているため、ノイズによる誤動作が生じず、信頼性の高い火災判定ができる。
【００１７】
請求項３に記載の光電式煙感知器によれば、試験スイッチが投入されたときにはじめて、火災試験判定回路が監視状態となるため、火災試験時以外にノイズによる誤動作を生じることがない。
【００１８】
請求項４に記載の光電式煙感知器によれば、自己保持型の制御回路を備えているため、カウンタ部を介することなく、火災試験判定を行うことができ、煙濃度信号や火災判定パルスが低いレベルになっても警報が途切れることなく鳴動させつづけることができる。
【００１９】
請求項５、６に記載の光電式煙感知器によれば、簡単に火災判定試験を行うとこができる。
【図面の簡単な説明】
【図１】本発明の光電式煙感知器の回路のブロック図
【図２】光電式煙感知器の外観の一例
【図３】本発明の火災試験判定回路の具体的な回路構成
【図４】従来の光電式煙感知器の回路のブロック図
【符号の説明】
１      光電式煙感知器
１０    電源回路
１１    警報回路
１２    火災検知回路
１２ａ  カウンタ部
１２ｂ  火災判定部
１２ｃ  煙濃度測定部
１３    火災試験判定回路
ＴＲ１  主トランジスタ
ＴＲ２  第１の制御トランジスタ
ＴＲ３  第２の制御トランジスタ
【図１】
2004227452.tif 000003
【図２】
2004227452.tif 000004
【図３】
2004227452.tif 000005
【図４】
2004227452.tif 000006